(57)【要約】      （修正有）【課題】計量用の専用用具を持っていなくとも又は包装袋に印字されたスケール等を用いて手指で計量しなくとも、製造コストを大幅に上昇させることなく手軽に且つ簡便に一定量の棒状乾麺を取り出すことができる包装袋を提供する。【解決手段】棒状乾麺包装袋１に開封及び計量用の切り口線４を印字し、この線に沿って開封し、この開封口が広がってしまわない程度にできるだけ多く棒状乾麺を取り出すと、ちょうど定量の棒状乾麺を取り出すことができる。【選択図】図１
0003147287.tif 000002
【実用新案登録請求の範囲】
【請求項１】
一定の長さに切り揃えられた等しい太さの棒状乾麺を包装する袋に、一定量の棒状乾麺を取り出せる開封の為の切り口線が印字されていることを特徴とする棒状乾麺の包装袋。
【請求項２】
一定の長さに切り揃えられた等しい太さの棒状乾麺を包装する袋に、取り出したい棒状乾麺の分量に応じた開封用の切り口線が複数印字されていることを特徴とする棒状乾麺の包装袋。
【考案の詳細な説明】
【技術分野】
【０００１】  この考案は棒状乾麺を包装する包装袋に関する。
【背景技術】
【０００２】スパゲッティの乾麺やそうめんの乾麺等、長さが切り揃えられた等しい太さの棒状乾麺の密封包装用の包装袋は一般的には透明なポリエチレンフィルム製であり、その包装袋には名称、原材料、内容量、製造者、賞味期限といった各種記載事項等や調理方法、図柄等が印刷されている。【０００３】このように長さが切り揃えられた等しい太さの棒状乾麺を調理する時は、人数分の分量を取り出した後指定された時間茹でるのが一般的であるが、人数分の分量、言い換えると定量を手軽に且つ簡便に取り出すことは難しい。【０００４】棒状乾麺を定量取り出すためにパスタ容器のふたに１人分〜４人分乾麺の分量にそれぞれ対応する穴を計４つあけたものがあり、この器具の構造に関する発明も提案されている（特許文献１参照）。【０００５】また、その他の方法として包装袋の上から手指で握り束ねた棒状乾麺の分量をその束の外周にループ状に押し当てる袋部分の長さによって計量するスケールが印字された包装袋（特許文献２参照）や、一束ずつ乾麺をテープで束ねたものを包装しているものもある。
【特許文献１】  特開２００３−３３９５５７号公報
【特許文献２】  特開２００５−３４１８４２号公報
【考案の開示】
【考案が解決しようとする課題】
【０００６】  しかしながら、以上の乾麺の定量を取り出すための技術によれば、一定量の棒状乾麺を取り出すためには計量用の専用の道具をもっていなければならないか、又は包装袋に印字されたスケール等を用いて手指で計量する必要があり、消費者側における手軽さ及び簡易さに欠けていた。更に定量をテープで束ねる方式の場合、製造コストが上昇するという欠点があり、やはり製造者側においての簡便さに欠けていた。
そこで、この考案は計量用の専用用具を持っていなくとも又は包装袋に印字されたスケール等を用いて手指で計量しなくとも、製造コストを大幅に上昇させることなく手軽に且つ簡便に一定量の棒状乾麺を取り出すことができることを課題とする。
【課題を解決するための手段】
【０００７】  本実用新案に係る棒状乾麺の包装袋は、一定の長さに切り揃えられた等しい太さの棒状乾麺を包装する袋に開封用の切り口線が印字されており、その切り口線にそって開封し、開封口が広がってしまわない程度にできる限り多く乾麺を取り出そうとした時に、一定量の乾麺が取り出されるように切り口線が印字されていることを特徴とする棒状乾麺の包装袋である。
【考案の効果】
【０００８】  本考案によれば、開封用の切り口線に沿って開封しそこから乾麺を取り出すことにより、計量用の専用用具を持っていなくとも又は包装袋に印字されたスケール等を用いて手指で計量しなくとも、一定量の乾麺が手軽に且つ簡便に取り出せる。更に、この考案を実行する場合製造コストがほとんど上昇しない、という特徴を有する。
【考案を実施するための最良の形態】
【実施形態１】
【０００９】    この考案の第一の実施形態を、図１に示す。棒状乾麺包装袋１は、例えば乾燥パスタ麺等の、一定の長さに切り揃えられた等しい太さの棒状乾麺を包装する袋であって、この包装袋１は、両端が各々フィンシール２、３によって封止されている。袋１のフィンシール２で封止されている側には、開封及び計量用の切り口線４がフィンシール２を斜めに横切るように印字されている。切り口線４に沿って開封された開封口から、この開封口が広がってしまわない程度にできる限り多く乾麺を取り出そうとした時に、一人前等の一定量の乾麺が取り出されるように切り口線４の長さ及び角度が印字されている。
【実施形態２】
【００１０】  この考案の第二の実施形態を、図２に示す。棒状乾麺包装袋１は、例えば乾燥パスタ麺等の、一定の長さに切り揃えられた等しい太さの棒状乾麺を包装する袋であって、この包装袋１は、両端が各々フィンシール２、３によって封止されている。袋１のフィンシール２で封止されている側には、開封及び計量用の切り口線４及び切り口線５がそれぞれフィンシール２を斜めに横切るように印字されている。切り口線４に沿って開封された開封口から、この開封口が広がってしまわない程度にできる限り多く乾麺を取り出そうとした時に、一人前等の一定量の乾麺が取り出されるように切り口線４の長さ及び角度が印字されている。また、切り口線５に沿って開封された開封口から、この開封口が広がってしまわない程度にできる限り多く乾麺を取り出そうとした時、切り口線４に沿って開封された場合に比べてより多くの定量の乾麺が取り出されるように切り口線５の長さ及び角度が印字されている。
【実施形態の効果】
【００１１】  この実施形態によれば、一定の長さに切り揃えられた等しい太さの棒状乾麺の包装袋に印字された開封及び計量用の切り口線に沿って棒状乾麺包装袋を開封し、乾麺を取り出すことにより、計量のための専用の道具を一切用いることなく、又は包装袋に印字されたスケール等を用いて手指で計量しなくても一定量の乾麺を手軽に且つ簡便に取り出すことができる。更に、この考案を実行する場合製造コストがほとんど上昇しない、という特徴を有する。
【他の実施形態１】
【００１２】  実施形態１及び実施形態２によれば、切り口線がフィンシールを斜めに横切るように印字されていたが、図３のようにフィンシール２を２段構造にし、切り口線４がフィンシール２と平行に横切るような形態にしてもよい。この際、切り口４に沿って開封された開封口の大きさは、この開封口が広がってしまわない程度にできる限り多く乾麺を取り出そうとした時に、一人前等の一定量の乾麺が取り出されるように切り口線４の長さ及び角度が印字されている。
【他の実施形態２】
【００１３】他の実施形態１では、フィンシール２が２段構造になっていたが、図３のように多段（図では３段）の構造にして、一度に取り出したい分量に応じた開封用の切り口線が複数（図では切り口線４と切り口線５）印字されていても良い。
【図面の簡単な説明】
【００１４】
【図１】この考案の〔実施形態１〕を示す図である。
【図２】この考案の〔実施形態２〕を示す図である。
【図３】この考案の〔他の実施形態１〕を示す図である。
【図４】この考案の〔他の実施形態２〕を示す図である。
【符号の説明】
【００１５】〔図１の符号の説明〕
１  棒状乾麺包装袋          ２  フィンシール（灰色部分全て）
３  フィンシール（灰色部分全て）
４  開封及び計量用の切り口線
〔図２の符号の説明〕
１  棒状乾麺包装袋          ２  フィンシール（灰色部分全て）
３  フィンシール（灰色部分全て）
４  開封及び計量用の切り口線
５  ４のものより多めの計量のための開封及び計量用の切り口線
〔図３の符号の説明〕
１  棒状乾麺包装袋          ２  ２段型のフィンシール（灰色部分全て）
３  フィンシール（灰色部分全て）
４  開封及び計量用の切り口線
〔図４の符号の説明〕
１  棒状乾麺包装袋          ２  フィンシール（灰色部分全て）
３  フィンシール（灰色部分全て）
４  計量の機能を備えた切り口線
５  ４のものより多めの計量のための開封及び計量用の切り口線
【図１】
0003147287.tif 000003
【図２】
0003147287.tif 000004
【図３】
0003147287.tif 000005
【図４】
0003147287.tif 000006